(57)【要約】【課題】居室内に設置されるシャワールームユニットにおいて十分な水量、及び、水圧のシャワー水を供給することを目的とする。【解決手段】本発明に係るシャワールームユニットは、居室内に設置され、温水器と、貯水タンクと、給水ポンプを有するシャワー供給設備と、シャワー設備と、を備え、温水器は、外部から供給される水道水を加熱して温水を生成し、生成した温水を内部の貯湯タンクに温水を貯水し、貯水タンクは、外部から供給される水道水を貯水し、給水ポンプは、貯水タンクに貯水する水道水を排出口から排出して、シャワー設備に供給し、シャワー設備は、温水器から供給される温水と、貯水タンクから供給される水道水を混合してシャワー水として、少なくとも１の排出口から排出することを特徴とする。【選択図】図７
2019088394.tif 000002
【特許請求の範囲】
【請求項１】
内部にシャワー設備が設置されたシャワー空間を有し、居室内に設置されるシャワールームユニットであって、
居室内に設置されるシャワー供給設備を備え、
シャワー供給設備は、温水器と、貯水タンクと、給水ポンプを有し、
温水器は、外部から供給される水道水を加熱して温水を生成し、生成した温水を内部の貯湯タンクに温水を貯水し、
貯水タンクは、外部から供給される水道水を貯水し、
給水ポンプは、貯水タンクに貯水する水道水を排出口から排出して、シャワー設備に供給し、
シャワー設備は、温水器から供給される温水と、貯水タンクから供給される水道水を混合してシャワー水として、少なくとも１の排出口から排出することを特徴とする
シャワールームユニット。
【請求項２】
給水ポンプの排出口は、シャワー設備中、水道水と温水を混合する混合器よりも高い位置に位置していることを特徴とする
請求項１に記載のシャワールームユニット。
【請求項３】
給水ポンプの排出口は、シャワー設備がシャワー水を排出するシャワーヘッド中、最も高い位置に位置するシャワーヘッドよりも高い位置に位置していることを特徴とする
請求項２に記載のシャワールームユニット。
【請求項４】
給水ポンプは、貯水タンクの上方に配置されていることを特徴とする
請求項１から請求項３の何れか１項に記載のシャワールームユニット。
【請求項５】
貯水タンクは、温水器の上方に配置されていることを特徴とする
請求項１から請求項４の何れか１項に記載のシャワールームユニット。
【発明の詳細な説明】
【技術分野】
【０００１】
本発明は、内部にシャワー空間が形成されるシャワールームユニットに関する。特に、居室内に事後的に設置可能なシャワールームユニットに関する。
【背景技術】
【０００２】
現在、高齢化社会が進むにあたって、集合住宅型の住居施設、いわゆる老人ホームの数は増加傾向にあり、高齢者にとって使い易い住居施設が求められている。このような住居施設では、利用者は、与えられた個室を主な居室として使用することになる。各個室にはトイレが設けられているが、入浴は住居施設に設けられている共同浴場を使用することが一般的である。
【先行技術文献】
【特許文献】
【０００３】
【特許文献１】特開平５−１６８５６９号公報
【特許文献２】特開平８−９４１０３号公報
【発明の概要】
【発明が解決しようとする課題】
【０００４】
このような老人ホーム、あるいは、介護施設等、集合住宅型の住居施設に居住する利用者は、入浴の際、共同浴場まで行かなければならないことが通常であり、居住する個室では入浴することはできなかった。体の自由度が低下した老人、要介護者等にとって共同浴場まで行くことは、介助を要するなど困難な行為であるとともに、施設によって入浴時間も決められていることが多い。一方、入浴、あるいは、シャワーを浴びる行為は、老人や要介護者にとっては重要なリフレッシュ行為である。そのため、出願人は、居住する個室内において気軽にシャワーを浴びることのできるシャワールームユニットの設置を提案している。
【０００５】
出願人が提案する居室内に設置されるシャワールームユニットは、施設建築時に設けられるものではなく、建設された施設に事後的に設置されることを前提としている。ここで、シャワーを快適なものとするには、シャワー水が適切な温度であることに加え、シャワー水の量、並びに、水圧が十分であることが必要となる。
【０００６】
特許文献１には、上水を加圧ポンプで加圧して熱交換器に送り、この熱交換器で加熱された上水をシャワー側に送ることで、高水圧を得るシャワー装置が開示されている。また、特許文献１の従来例には、上水を一旦ストレージタンク内に溜め、その上水を、加圧ポンプを利用してシャワー側へ送出することが開示されている。また、特許文献２には、流体通路を有する熱交換体を内蔵するタンクを利用して、このタンク内に温水、冷水の何れか一方を通過させると共に他方を熱交換体の流体通路を通過させるようにすることが開示されている。このような構成により、噴出する温湯の圧力を比較的高圧にすることが可能となる。
【０００７】
特許文献１、２に開示されるようにシャワーにおいて、その水圧を高くすることはよく知られている。しかしながら、居室内に事後的にシャワールームユニットを事後的に設置すること、更には、そのシャワールームユニットで使用するシャワー水を十分な量とし、の水圧を高くすることはこれまで検討されていなかった。本発明は、居室内に事後的にシャワールームユニットを事後的に設置する際、シャワールームユニットに必要な構成を居室内に設置可能とするとともに、そのような制約された条件下においても、十分な水量、及び、水圧のシャワー水を提供することを目的としている。
【課題を解決するための手段】
【０００８】
本発明に係るシャワールームユニットは、
内部にシャワー設備が設置されたシャワー空間を有し、居室内に設置されるシャワールームユニットであって、
居室内に設置されるシャワー供給設備を備え、
シャワー供給設備は、温水器と、貯水タンクと、給水ポンプを有し、
温水器は、外部から供給される水道水を加熱して温水を生成し、生成した温水を内部の貯湯タンクに温水を貯水し、
貯水タンクは、外部から供給される水道水を貯水し、
給水ポンプは、貯水タンクに貯水する水道水を排出口から排出して、シャワー設備に供給し、
シャワー設備は、温水器から供給される温水と、貯水タンクから供給される水道水を混合してシャワー水として、少なくとも１の排出口から排出することを特徴とする。
【０００９】
さらに本発明に係るシャワールームユニットにおいて、
給水ポンプの排出口は、シャワー設備中、水道水と温水を混合する混合器よりも高い位置に位置していることを特徴とする。
【００１０】
さらに本発明に係るシャワールームユニットにおいて、
給水ポンプの排出口は、シャワー設備がシャワー水を排出するシャワーヘッド中、最も高い位置に位置するシャワーヘッドよりも高い位置に位置していることを特徴とする。
【００１１】
さらに本発明に係るシャワールームユニットにおいて、
給水ポンプは、貯水タンクの上方に配置されていることを特徴とする。
【００１２】
さらに本発明に係るシャワールームユニットにおいて、
貯水タンクは、温水器の上方に配置されていることを特徴とする。
【発明の効果】
【００１３】
本発明に係るシャワールームユニットによれば、居室内に事後的にシャワールームユニットを事後的に設置するという制約された条件下においても、貯水タンクを居室内に設置したことで、十分な水量、並びに水圧のシャワー水を提供することが可能となる。さらに、空調の効いた居室内では、貯水タンクに貯水する水道水が空調で温められることになる。そのため、特に冬期においては、温水器から供給する温水の量を抑えることが可能となり、使用できるシャワー水の量を増加させることが可能となる。また、温水器で沸かす温水の量を削減できるため、消費電力も抑制することが可能となる。また、貯水タンクを屋外に設置した場合、冬期には凍結して使用できなくなる恐れがあるが、居室内に設置することで凍結することもない。
【００１４】
さらに、本発明に係るシャワールームユニットにおいて、給水ポンプの排出口は、シャワー設備中、水道水と温水を混合する混合器よりも高い位置に位置させることが好ましい。このような構成を採用することで、より高い水圧のシャワー水を提供することが可能となる。
【００１５】
さらに、本発明に係るシャワールームユニットにおいて、給水ポンプの排出口は、シャワー設備がシャワー水を排出するシャワーヘッド中、最も高い位置に位置するシャワーヘッドよりも高い位置に位置していることが好ましい。このような構成を採用することで、より高い水圧のシャワー水を提供できるとともに、使用する全てのシャワーヘッドにおいても好適な水圧を保つことが可能となる。
【００１６】
さらに、本発明に係るシャワールームユニットにおいて、給水ポンプは、貯水タンクの上方に配置されていることが好ましい。このような構成を採用することで、給水ポンプを十分な高さに位置させることが可能となるとともに、設置面積の抑制を図り、狭小な居室内においてもシャワールームユニットを設置することが可能となる。
【００１７】
さらに、本発明に係るシャワールームユニットにおいて、貯水タンクは、温水器の上方に配置されていることが好ましい。このような構成を採用することで、給水ポンプを十分な高さに位置させることが可能となるとともに、設置面積の抑制を図り、狭小な居室空間内においてもシャワールームユニットを設置することが可能となる。
【図面の簡単な説明】
【００１８】
【図１】シャワールームユニット設置前の居室空間を示す上面図
【図２】シャワールームユニット設置後の居室空間を示す上面図
【図３】シャワールームユニット設置後の居室空間の様子を示す斜視図
【図４】外壁を取り外した状態のシャワールームユニットの外観を示す斜視図
【図５】シャワールームユニットの配管を説明するための斜視図
【図６】シャワールームユニットの配管における給水を説明するための斜視図
【図７】高い水圧を確保するための構成間の高さの関係を示す模式図
【図８】他の実施形態のシャワールームユニットの配管を説明するための斜視図
【発明を実施するための形態】
【００１９】
図１は、シャワールームユニット設置前の居室空間Ａを示す上面図である。本実施形態のシャワールームユニットの設置対象となる居室空間Ａは、アパート、マンションあるいは高齢者用集合住宅等、シャワー設備あるいは入浴設備を有していない居室空間Ａである。本実施形態のシャワールームユニットは、このような既存の居室空間Ａに事後的に設置されるものである。図１に示す居室空間Ａには、既存洋式便器１１、洗面台流し１２が予め設置されている。既存洋式便器１１は、既存外壁１０で区切られた空間内に配置されており、既存扉１０ａを使用して同空間に出入りすることが可能となっている。既存洋式便器１１の背後に位置する空間（パイプスペース）には、既存洋式便器１１の汚水を流すための汚水管１４と、洗面台流し１２等の雑排水を流すための雑俳管１３が配置されている。
【００２０】
本実施形態のシャワールームユニットは、高齢者、要介護者等が居室空間Ａにおいて快適にシャワーを浴びることのできるシャワー空間を提供することを目的としている。そのため、本実施形態のシャワールームユニットは、居室空間Ａの床面（居室床面）上に容易に設置可能であるとともに、居室空間Ａが賃貸物件であっても容易に撤去可能とし、原状回復を行うことができるものである。
【００２１】
図２は、本実施形態のシャワールームユニット２を設置した後の居室空間Ａを示す上面図である。図２に示されるようにシャワールームユニット２は、３面が内壁２２ａ、２２ｂ、２２ｃで囲われ、残る１面が出入り用の扉２４で囲われたシャワー空間Ｂを有している。シャワー空間Ｂの底面は防水パン２１で形成されている。防水パン２１の上には、図示しないスノコが設置されている。シャワー空間Ｂを形成する扉２４の外部には、スロープ形成部２６が設けられている。このスロープ形成部２６は、居室空間Ａとシャワー空間Ｂ内を緩やかなスロープ（斜面）で接続することが可能であり、利用者が車椅子でも容易にシャワー空間Ｂ内に出入りすることを可能としている。本実施形態のシャワー空間Ｂは、車椅子が入るに十分な空間となっており、利用者は、車椅子のままシャワーを浴びることが可能である。
【００２２】
シャワールームユニット２の背面には、シャワー供給設備４が設けられている。図３は、シャワールームユニット２を設置した後の居室空間の様子を示す斜視図であって、図２の上面図に記載する視線方向Ｘからシャワールームユニット２を眺めた図である。図３から分かるようにシャワー供給設備４は、外壁２３ｂ、並びにシャワールームユニット２で隠された状態となっている。シャワー供給設備４は、シャワー設備２５で使用するシャワー水（温水）を形成するための設備である。
【００２３】
シャワー供給設備４と洗面台流し１２の間には、洗濯機３３を配置するためのスペースが設けられている。本実施形態では、前扉式の洗濯機３３が設置されている。洗濯機３３の前面にはスロープ形成部２６が位置している。このような配置状況では、洗濯機３３を使用する場合、スロープ形成部２６の上に立つ必要があり、高齢者、要介護者等の場合、スロープ（斜面）により洗濯機３３の操作、洗濯物の出し入れが困難となることが考えられる。そのため、本実施形態のスロープ形成部２６は、スロープ（斜面）を形成する形態（スロープ形態）と、居室空間Ａの床面と平行な形態（ステップ形態）に切り替えることが可能となっている。なお、図３は、ステップ形態の状態となっている。例えば、車椅子を使用してシャワーを浴びる際には、スロープ形成部２６をスロープ形態で使用し、車椅子を使用していない利用者の場合、あるいは、洗濯機３３を使用する場合には、ステップ形態で使用することで、狭小の居室空間Ａであっても、スペースを有効に使用して、適切な形態で使用することが可能となっている。
【００２４】
なお、このスロープ形成部２６は、居室空間Ａとシャワー空間Ｂにおける床面間の段差を抑制し、シャワールームユニット２への出入りを容易にする段差抑制手段として機能する。段差抑制手段としては、このようにステップ形態とスロープ形態を切り替えることができるタイプの他、切り替え機能を有さず、ステップ形態のみで使用する形態、あるいは、スロープ形態のみで使用するタイプを採用することとしてもよい。
【００２５】
図２、図３に示されるように、本実施形態のシャワールームユニット２は、それに隣接して追加洋式便器３が設置されていることを特徴としている。この追加洋式便器３１は、例えば、これに隣接した位置（例えば、ベッド設置位置３５）にベッドを設置することで、ベッドから直ぐに追加洋式便器３１への移動、及び、シャワールームユニット２への移動が容易に行える配置となっている。また、本実施形態では、追加洋式便器３１に隣接して手洗い流し３４が設けられている。本実施形態の追加洋式便器３１は、既存洋式便器１１と異なり、後付けの洋式便器であって、汚水管１４に隣接して位置するものではない。そのため、本実施形態では、汚水発生時、すなわち、用を足した後、後述する圧送式ポンプ５１を使用して、汚水管１４に強制的に汚水を排出することとしている。
【００２６】
なお、この圧送式ポンプ５１は、シャワールームユニットの内壁２２ａと、外壁２３ａの間に形成された空間に配置されており、外部からは見えない状態となっている。また、本実施形態の圧送式ポンプ５１は、シャワー水の排水も兼ねた形態となっている。シャワー時に防水パン２１に貯まったシャワー水は、圧送式ポンプ５１により、追加洋式便器３１の汚水と同様に、圧送式ポンプ５１内で粉砕された後、汚水管１４に強制排水されることになる。
【００２７】
図４は、外壁２３ａ、２３ｂ等を取り外した状態のシャワールームユニット２の外観を示す斜視図である。先に説明したように追加洋式便器３の背後には、圧送式ポンプ５１が配置されている。圧送式ポンプ５１は、２つの吸引口（第１吸引口、第２吸引口）と、１つの排出口を有している。第１吸引口は、追加洋式便器３に接続され、第２吸引口は、防水パン２１に接続されている。また、排出口は、排出管５１１を介して汚水管１４に接続されている。
【００２８】
図５は、シャワールームユニット２の配管を説明するための斜視図である。図５は、図４の斜視図においてシャワールームユニット２の内壁２２ａ、２２ｂ、２２ｃ、扉２４を洗濯機３３、洗面台流し１２等の各種構成を仮想的に撤去して、配管の様子を分かり易く図示した状態である。本実施形態のシャワー供給設備４は、給水ポンプ４３、貯水タンク４２、温水器４１を主な構成要件として有している。本実施形態のシャワールームユニット２は、車椅子に乗ったままでも、満遍なくシャワーを浴びることができるように、多数のシャワーヘッド（第１〜第６シャワーヘッド４７ａ〜４７ｅ、４６）を有する構成となっている。
【００２９】
このように多数のシャワーヘッドを有し、多量のシャワー水が必要となる構成では、シャワー水の水圧が低下することが予想されるが、本実施形態のシャワー供給設備４は、貯水タンク４２に一旦、水道水を貯水した後、給水ポンプ４３を使用して、シャワー設備２５の混合器４５に給水することで十分な水圧を確保している。特に、水道水の給水口、すなわち、給水ポンプ４３の第１排出口４３ｂを混合器４５よりも高い位置とすることで、シャワー時における十分な水圧を確保している。
【００３０】
では、シャワー設備２５に対する給水について説明する。図６は、シャワールームユニット２の配管における給水を説明するための斜視図であって、各種矢印で水道水、温水、シャワー水の移動を示したものである。なお、図面上、全てのシャワー水の移動を記載すると分かり難くなるため、第３シャワーヘッド４７ｃ、第５シャワーヘッド４７ｅに対するシャワー水の移動のみを記載している。
【００３１】
温水器４１は、供給管４２１を介して供給される水道水を加熱して温水を形成し、温水器４１内部の貯水タンクに蓄える。本実施形態の温水器４１は、３５℃〜８５℃の温水を形成することが可能である。温水器４１は、蓄えている温水を、温水管４５０を介して混合器４５に供給する。
【００３２】
温水器４１の上には、架台４４を介して貯水タンク４２が配置されている。給水ポンプ４３は、貯水タンク４２内の水位が低下すると、供給口４３ａを閉状態から開状態に変更し、貯水タンク４２内が一定の水位となるまで供給管４２１から水道水を補給する。本実施形態のシャワールームユニット２は、貯水タンク４２を含む全ての構成が、プライベートな空間である居室空間Ａ内に配置されるため、施設内の共用空間を占有することなく、シャワールームユニット２の導入を容易にしている。
【００３３】
また、本実施形態の貯水タンク４２は、空調が効いている居室空間Ａ内に設置されているため、貯水タンク４２に貯水する水道水は、空調で暖められることになる。そのため、特に冬期においては、所定温度のシャワー水を形成する際に必要とされる温水の量は、直接、水道水を混合器４５に導入する場合と比較して、抑えられる。したがって、温水器４１から供給する温水の量は削減され、消費電力も抑えられる。温水器４１には、深夜電力を使用して温水を沸かし、内部タンクに温水を貯水しておくタイプが一般的である。このようなタイプでは、使用できる温水に限りがあるが、本実施形態のように、居室空間Ａ内に設置された貯水タンク４２に一旦貯水することで、シャワー水に使用する温水量の削減を図り、一度に使用できるシャワー水の量を増加させることも可能となる。貯水タンク４２を屋外に設置した場合、冬期には凍結して使用できなくなる恐れがあるが、居室内に設置することで凍結することもなく、年中、快適に使用することが可能となる。
【００３４】
シャワー設備２５でシャワーが利用される際には、給水ポンプ４３を駆動することで、第１水管４３１を介して混合器４５に対し、貯水タンク４２内に貯水する水道水を十分な水圧で供給する。なお、給水ポンプ４３は、追加洋式便器３、並びに、手洗い流し３４に対しても第２排出口４３ｃ、第２水管４３２、第１水支管４３２ａ、第２水支管４３２ｂを介して、貯水タンク４２に貯水する水道水を供給することが可能となっている。
【００３５】
混合器４５は、温水器４１から供給される温水と、給水ポンプ４３を使用して供給される貯水タンク４２内の水道水を、設定された混合率で混合し、シャワー水として第１〜第６シャワーヘッド４７ａ〜４７ｅ、４６に供給することが可能となっている。第１シャワーヘッド４７ａ及び第２シャワーヘッド４７ｂは、それぞれ第１シャワー管４４１、第２シャワー管４４２を介して混合器４５と接続され、混合器４５に向かって位置する利用者に対し前方からシャワー水を噴射する。第３シャワーヘッド４７ｃは、第３シャワー管４４３を介して混合器４５と接続され、混合器４５に向かって位置する利用者に対し後方からシャワー水を噴射する。
【００３６】
第４シャワーヘッド４７ｄ、第５シャワーヘッド４７ｅは、それぞれ第４シャワー管４４４、第５シャワー管４４５を介して混合器４５と接続され、シャワー空間Ｂの上方に位置し、利用者の上方からシャワー水を噴射する。なお、第４シャワーヘッド４７ｄ、第５シャワーヘッド４７ｅは、共に上方からシャワー水を噴射する点で共通しているが、第４シャワーヘッド４７ｄは、シャワー水を拡散させずに噴射するのに対し、第５シャワーヘッド４７ｅは、シャワー水を拡散させて噴射する点において相違している。第６シャワーヘッド４６は、シャワーホース４４６を介して接続され、利用者が第６シャワーヘッド４６を手持ちした状態でシャワー水を噴射させることが可能となっている。
【００３７】
このように本実施形態のシャワー設備２５は、利用者の前方、後方、上方等、あらゆる方向からシャワー水を噴射することが可能であり、健常者のみならず、車椅子に乗ったままの利用者であっても、自身の向きを変更することなく、快適にシャワーを浴びることが可能である。
【００３８】
図７は、高い水圧を確保するための構成間の高さの関係を示す模式図である。給水ポンプ４３の第１排出口４３ｂ付近では、給水ポンプ４３が内蔵する電動ポンプによって十分な水圧が確保されている。ここで、第１排出口４３ｂから排出された貯水タンク４２内の水道水は、第１排出口４３ｂより上方では、重力によってその水圧は低下する。一方、第１排出口４３ｂよりも下方では、重力によって水圧は更に高められる。本実施形態のシャワー供給設備４は、この重力による水圧上昇効果を利用したものであり、給水ポンプ４３の第１排出口４３ｂの位置を、少なくとも、水道水が供給される混合器４５の位置よりも高く設定している。
【００３９】
図７に示されるように、第１排出口４３ｂの高さＨは、混合器４５中、水道水と温水が混合される位置の高さＨ１よりも高く設定されている。特に、本実施形態では、温水器４１の上方に架台４４を介して貯水タンク４２を設置し、さらに、貯水タンク４２の上方に給水ポンプ４３を設置することで、給水ポンプ４３の位置を高くし、第１排出口４３ｂを十分な高さとすることが可能となっている。また、温水器４１、貯水タンク４２、給水ポンプ４３を１つのスペースにまとめて配置することで、設置面積の抑制を図り、狭小な居室空間Ａ内においてもシャワールームユニット２を設置することを可能としている。
【００４０】
また、本実施形態では、高さの異なる第１〜第６シャワーヘッド４７ａ〜４７ｅ、４６を使用しているが、給水ポンプ４３の第１排出口４３ｂは、最も高い位置のシャワーヘッド（本実施形態では第２シャワーヘッド４７ｂ）よりも高い位置であることが好ましい。本実施形態では、第１排出口４３ｂの高さＨは、第５シャワーヘッド４７ｅの高さＨ２よりも高く設定されている。このような配置関係とすることで、最も高い位置のシャワーヘッド（本実施形態では第５シャワーヘッド４７ｅ）を含む全てのシャワーヘッド４７ａ〜４７ｅ、４６においても十分高い水圧を確保することが可能となる。
【００４１】
図８は、他の実施形態のシャワールームユニット２の配管を説明するための斜視図である。この実施形態は、図１〜図７を使用して説明した実施形態と、シャワー供給設備４の点、及び、汚水の排出の点において相違している。以下に、図８の実施形態について、それぞれの相違点について説明する。
【００４２】
図１〜図７の実施形態では、シャワー供給設備４は、温水器４１の上に、架台４４上に配置された貯水タンク４２を設け、更にその上に給水ポンプ４３を配置する構成としていた。図８の実施形態では、前実施形態よりも大型の温水器４１を使用している。このような構成によれば、温水器４１内に十分な温水を貯留することが可能であり、前実施形態の温水器４１よりも低い温度の温水とすることが可能となる。本実施形態のように温水器４１が大型である場合、温水器４１の上部スペースは狭小となってしまい、上部に貯水タンク４２を配置することは困難となる。そのため、本実施形態では、温水器４１の隣に、架台４４上に設置された貯水タンク４２を配置することとしている。このような構成においても給水ポンプ４３の位置を、少なくとも混合器４５の位置よりも高くすることが可能となり、高い水圧を確保することが可能となる。
【００４３】
次に、汚水の排出の点について異なる点を説明する。図１〜図７の実施形態では、防水パン２１に貯まったシャワー水、及び、追加洋式便器３の汚水を１台の圧送式ポンプ５１で汚水管１４に排出していた。このような構成では１台の圧送式ポンプ５１で済むため、コスト削減を図ることが可能となる。一方、図８の実施形態では、追加洋式便器３の汚水を排出するための第１圧送式ポンプ５１Ａ、防水パン２１に貯まったシャワー水を排出するための第２圧送式ポンプ５１Ｂを設けている。なお、この形態では、防水パン２１の排出孔は、第２圧送式ポンプ５１Ｂ側に設けられている。第１圧送式ポンプ５１ａが排出する汚水は第１排出管５１１ｃを介して雑俳管１３へと導かれる。そして、第２圧送式ポンプ５１ｂが排出するシャワー水は第２排出管５１１ｄを介して汚水管１４へと導かれる。このような構成によれば、前述の実施形態と比較して、圧送式ポンプにかかる負担を減らすことで、圧送式ポンプ５１Ａ、圧送式ポンプ５１Ｂの長寿命化を図ることが可能となる。また、万が一、どちらかの圧送式ポンプが故障した場合であっても、もう１台の圧送式ポンプが機能するため、シャワー、追加洋式便器３の両方が使用できなくなることはない。
【符号の説明】
【００４４】
２：シャワールームユニット         ４２：貯水タンク
４：シャワー供給設備               ４３：給水ポンプ
１０：既存外壁                     ４３ａ：供給口
１０ａ：既存扉                     ４３ｂ：第１排出口
１１：既存洋式便器                 ４３ｃ：第２排出口
１２：洗面台流し                   ４４：架台
１３：雑俳管                       ４５：混合器
１４：汚水管                       ４７ａ〜４７ｅ、４６：第１シャワーヘッド
２１：防水パン                     ５１（５１Ａ、５１Ｂ）：圧送式ポンプ
２２ａ〜２２ｃ：内壁               ４２１：供給管
２３ａ、２３ｂ：外壁               ４３１：第１水管
２４：扉                           ４３２：第２水管
２５：シャワー設備                 ４３２ａ：第１水支管
２６：スロープ形成部               ４３２ｂ：第２水支管
３１：追加洋式便器                 ４４１〜４４５：シャワー管
３３：洗濯機                       ４４６：シャワーホース
３４：流し                         ４５０：温水管
３５：ベッド設置位置               ５１１：排出管
４１：温水器
【図１】
2019088394.tif 000003
【図２】
2019088394.tif 000004
【図３】
2019088394.tif 000005
【図４】
2019088394.tif 000006
【図５】
2019088394.tif 000007
【図６】
2019088394.tif 000008
【図７】
2019088394.tif 000009
【図８】
2019088394.tif 000010